(57)【要約】本発明の一実施例による加湿量が向上された浮遊式加湿器は、水が収容された水槽内で浮遊し、中心部に中孔が上下に貫通形成される浮遊体と、前記中孔内に設置され、下部に流入する水を超音波振動によって加湿粒子に霧化するための超音波発生部と、前記浮遊体の上部に設置され、前記加湿粒子が内部のガイド孔に沿って上向移動するように案内する加湿粒子ガイド部と、前記加湿粒子ガイド部の内部に具備され、空気を加圧して、加圧された空気を通じて前記加湿粒子を上向移動させるための空気加圧部とを含むことを特徴とする。【選択図】図４
2019526023.tif 000002
【特許請求の範囲】
【請求項１】
水が収容された水槽内で浮遊し、中心部に中孔が上下に貫通形成される浮遊体と、
前記中孔内に設置され、下部に流入する水を超音波振動によって加湿粒子に霧化するための超音波発生部と、
前記浮遊体の上部に設置され、前記加湿粒子が内部のガイド孔に沿って上向移動するように案内する加湿粒子ガイド部と、
前記加湿粒子ガイド部の内部に具備され、空気を加圧して、加圧された空気を通じて前記加湿粒子を上向移動させるための空気加圧部とを含むことを特徴とする加湿量が向上された浮遊式加湿器。
【請求項２】
前記加湿粒子ガイド部は、
前記ガイド孔に沿って下向延長して形成される内壁と、
前記内壁の外側方向に斜めに形成され、前記浮遊体と結合するための外壁とを含む二重隔壁構造を有することを特徴とする請求項１に記載の加湿量が向上された浮遊式加湿器。
【請求項３】
前記空気加圧部は、
前記加湿粒子ガイド部の内壁と外壁との間に形成されることを特徴とする請求項２に記載の加湿量が向上された浮遊式加湿器。
【請求項４】
前記加湿粒子ガイド部は、
前記加湿粒子ガイド部の内壁と前記浮遊体とが所定間隔で隔離して形成される空気注入部を含み、
前記空気加圧部と前記ガイド孔とは、前記空気注入部によって連通することを特徴とする請求項２に記載の加湿量が向上された浮遊式加湿器。
【請求項５】
前記加湿粒子ガイド部の外側部には、ファン設置孔が貫通形成され、
前記ファン設置孔には、前記空気加圧部に向かって空気を噴射する送風ファンが設置されることを特徴とする請求項４に記載の加湿量が向上された浮遊式加湿器。
【請求項６】
前記加湿粒子ガイド部は、
前記加湿粒子ガイド部の内壁末端で所定サイズで凹んで形成される凹み溝部を含み、
前記凹み溝部は、前記送風ファンに対向する位置に形成されることを特徴とする請求項５に記載の加湿量が向上された浮遊式加湿器。
【請求項７】
前記ガイド孔の水平断面は、円形、楕円形または多角形であることを特徴とする請求項２に記載の加湿量が向上された浮遊式加湿器。
【請求項８】
前記加湿粒子ガイド部の内壁中心と前記浮遊体の中孔中心とは、互いに異なる垂直線上に配置されることを特徴とする請求項２に記載の加湿量が向上された浮遊式加湿器。
【請求項９】
前記加湿粒子ガイド部の内壁一側は、
前記浮遊体の中孔外部に向かって延長して形成されることを特徴とする請求項８に記載の加湿量が向上された浮遊式加湿器。
【請求項１０】
前記加湿粒子ガイド部は、
前記加湿粒子ガイド部の内壁と外壁とが接する内周面に具備され、前記外壁の傾斜より緩やかに凹んで形成される洗浄溝部を含むことを特徴とする請求項２に記載の加湿量が向上された浮遊式加湿器。
【請求項１１】
前記加湿粒子ガイド部は、
前記加湿粒子ガイド部の内壁と外壁とが接する外周面に具備され、前記洗浄溝部の反対側から凹んで形成される把持溝部を含むことを特徴とする請求項１０に記載の加湿量が向上された浮遊式加湿器。
【発明の詳細な説明】
【技術分野】
【０００１】
本発明は、加湿量が向上された浮遊式加湿器に関し、さらに詳しくは、加湿器内に形成された空気加圧部によって高まった空気圧を利用して加湿量を極大化した浮遊式加湿器に関する。
【背景技術】
【０００２】
通常、加湿器は、乾燥した室内に湿気を提供するための装置であって、加湿器は、加湿方式によって超音波を利用した超音波式加湿器とヒーターを利用した加熱式加湿器に区別される。
【０００３】
まず、超音波加湿器は、水槽に設置された超音波振動子を利用して水を微細な水滴に変化させた後、送風ファンを利用して微細な水滴を霧化状態で噴霧する方式である一方、加熱式加湿器は、水槽に設置されたヒーターの熱を利用して水を蒸気化した後、送風ファンを利用して蒸気の霧化状態で噴霧する方式である。
【０００４】
上記の２種類の加湿器は、固定的な設置面に設置した状態で使用するもので、細菌増殖及び洗浄の問題が大きな短所として浮上しており、これを解消するために、比較的洗浄などの管理が便利な天然式加湿器が多く利用されている。
【０００５】
上記天然式加湿器の中には、比較的洗浄などの管理が簡単な浮遊式加湿器が多く使用されるが、上記浮遊式加湿器は、水が収容された水槽の内部に浮遊した状態で移動可能に設置されるという特徴がある。
【０００６】
このような従来の浮遊式加湿器は、水槽の内部に一定の高さで浮遊しながら、超音波を利用して内部に流入する水を水粒子に変化させた後、送風ファンを利用して水粒子を霧化状態で排出する方式を有する。
【０００７】
しかし、従来の浮遊式加湿器は、送風ファンの送風方向が水粒子が排出される通路の中心方向に向かっており、霧化された水粒子の多くは、再び水滴にかたまり下方に落ちるか、または送風ファンの反対側通路にぶつかり加湿量が低下するという問題がある。
【先行技術文献】
【特許文献】
【０００８】
【特許文献１】韓国公開特許第１０−２０１５−００９０８４２号公報
【発明の概要】
【発明が解決しようとする課題】
【０００９】
本発明の目的は、間接方式で空気を注入し、従来の一方向のみから空気が供給されたことを改善して、ガイド孔の周辺全体から内部に空気が供給されることで、加湿量が増加した浮遊式加湿器を提供することにある。
【００１０】
また、本発明の他の目的は、二重隔壁構造を利用して空気加圧部を形成することにより、加圧された空気を内部に供給して加湿量が極大化された浮遊式加湿器を提供することにある。
【００１１】
本発明が解決しようとする課題は、以上で言及した課題に制限されず、言及されなかったまた他の課題は、下記の記載から当業者に明確に理解できるであろう。
【課題を解決するための手段】
【００１２】
上記のような目的を達成するための本発明の一実施例による加湿量が向上された浮遊式加湿器は、水が収容された水槽内で浮遊し、中心部に中孔が上下に貫通形成される浮遊体と、前記中孔内に設置され、下部に流入する水を超音波振動によって加湿粒子に霧化するための超音波発生部と、前記浮遊体の上部に設置され、前記加湿粒子が内部のガイド孔に沿って上向移動するように案内する加湿粒子ガイド部と、前記加湿粒子ガイド部の内部に具備され、空気を加圧して、加圧された空気を通じて前記加湿粒子を上向移動させるための空気加圧部とを含むことを特徴とする。
【００１３】
また、本発明の一実施例による前記加湿粒子ガイド部は、前記ガイド孔に沿って下向延長して形成される内壁と、前記内壁の外側方向に斜めに形成され、前記浮遊体と結合するための外壁とを含む二重隔壁構造を有することを特徴とする。
【００１４】
また、本発明の一実施例による前記空気加圧部は、前記加湿粒子ガイド部の内壁と外壁との間に形成されることを特徴とする。
【００１５】
また、本発明の一実施例による前記加湿粒子ガイド部は、前記加湿粒子ガイド部の内壁と前記浮遊体とが所定間隔で隔離して形成される空気注入部を含み、前記空気加圧部と前記ガイド孔とは、前記空気注入部によって連通することを特徴とする。
【００１６】
また、本発明の一実施例による前記加湿粒子ガイド部の外側部には、ファン設置孔が貫通形成され、前記ファン設置孔には、前記空気加圧部に向かって空気を噴射する送風ファンが設置されることを特徴とする。
【００１７】
また、本発明の一実施例による前記加湿粒子ガイド部は、前記加湿粒子ガイド部の内壁末端で所定サイズで凹んで形成される凹み溝部を含み、前記凹み溝部は、前記送風ファンに対向する位置に形成されることを特徴とする。
【００１８】
また、本発明の一実施例による前記ガイド孔の水平断面は、円形、楕円形または多角形であることを特徴とする。
【００１９】
また、本発明の一実施例による前記加湿粒子ガイド部の内壁中心と前記浮遊体の中孔中心とは、互いに異なる垂直線上に配置されることを特徴とする。
【００２０】
また、本発明の一実施例による前記加湿粒子ガイド部の内壁一側は、前記浮遊体の中孔外部に向かって延長して形成されることを特徴とする。
【００２１】
また、本発明の一実施例による前記加湿粒子ガイド部は、前記加湿粒子ガイド部の内壁と外壁とが接する内周面に具備され、前記外壁の傾斜より緩やかに凹んで形成される洗浄溝部を含むことを特徴とする。
【００２２】
また、本発明の一実施例による前記加湿粒子ガイド部は、前記加湿粒子ガイド部の内壁と外壁とが接する外周面に具備され、前記洗浄溝部の反対側から凹んで形成される把持溝部を含むことを特徴とする。
【発明の効果】
【００２３】
本発明は、間接方式で空気を注入し、従来、一方向のみから空気が供給されたことを改善して、ガイド孔の周辺全体から内部に空気を供給させることで加湿量を増加させ、二重隔壁構造を利用して空気加圧部を形成することで加圧された空気を内部に供給して加湿量を極大化することができる。
【００２４】
また、本発明は、凹み溝部を通じて送風ファンから流入する空気が前記加湿粒子ガイド部の内壁にぶつかることなく直ちに前記ガイド孔に流入することで、発生した加湿粒子のうちサイズの大きい粒子を他側内壁に押し出すことができる。
【００２５】
また、本発明は、加湿粒子ガイド部の内周面に洗浄溝部が形成され、内周面全部を容易に洗浄することができ、外周面に把持溝部が形成され、洗浄時に把持が必要な場合は取手として使用することができる。
【００２６】
また、本発明の加湿粒子ガイド部の内壁は、一側に傾いた形状で構成されることができ、超音波発生部から発生した加湿粒子が上昇する場合、非対称的に形成された前記加湿粒子ガイド部の内壁にぶつかるが、固まった加湿粒子が中孔に満たされた水ではなく、前記中孔外部に落ちることで水面との衝突で発生する騒音を最小化することができる。
【図面の簡単な説明】
【００２７】
【図１】本発明の一実施例による加湿量が向上された浮遊式加湿器を示す斜視図である。
【図２】本発明の一実施例による加湿量が向上された浮遊式加湿器を示す分解斜視図である。
【図３】図１において上部ケースを除いた浮遊式加湿器の斜視図である。
【図４】図２において上部ケースを除いた浮遊式加湿器の分解斜視図である。
【図５】図３の浮遊式加湿器の送風ファンを基準として垂直方向に切断した断面図である。
【図６】図５の断面図を基準として垂直方向に切断した断面図である。
【図７】図３において送風ファンを除いた浮遊式加湿器の斜視図である。
【図８】本発明の一実施例による加湿粒子ガイド部の斜視図である。
【図９】本発明の一実施例による加湿粒子ガイド部の底面斜視図である。
【発明を実施するための形態】
【００２８】
本発明の利点及び／または特徴、そしてそれらを達成する方法は、添付の図面と共に詳しく後述する実施例を参照すれば明確になるであろう。しかし、本発明は、以下で開示される実施例に限定されるものではなく、様々な異なる形態で具現されることができ、但し、本実施例は、本発明の開示を完全にして、本発明が属する技術分野で通常の知識を持った者に発明の範疇を完全に知らせるために提供されるものであり、本発明は、請求項の範疇によって定義されるだけである。明細書全体にわたって同一の参照符号は同一の構成要素を指す。
【００２９】
図１は、本発明の一実施例による加湿量が向上された浮遊式加湿器を示す斜視図であり、図２は、本発明の一実施例による加湿量が向上された浮遊式加湿器を示す分解斜視図である。
【００３０】
図１及び図２を参照すると、本発明の一実施例による浮遊式加湿器１０は、浮遊体１００、超音波発生部１１０、送風ファン１３０、加湿粒子ガイド部１２０、及び上部ケース２０などを含むことを特徴とする。
【００３１】
前記上部ケース２０は、前記浮遊体１００の上端部に着脱可能に結合することができ、下端から上端に行くほど外径が次第に小さくなるひょうたん状で製作されることができる。
【００３２】
そして、前記上部ケース２０の上端部外面には、外部の空気が流入する空気流入孔２１が互いに一定間隔をおいて複数個で形成されることができる。
【００３３】
さらに、前記上部ケース２０の上端には、前記超音波発生部１１０によって発生する加湿粒子の発散量及び発散方向を制御するキャップ（図示せず）が設けられることができ、前記キャップ（図示せず）には、水粒子または水蒸気が排出される発散孔（図示せず）がさらに形成されることができる。
【００３４】
ここで、水粒子または水蒸気は、加湿粒子を意味し、以下では同一の意味で使用されることができる。
【００３５】
一方、前記上部ケース２０は、本発明の主要特徴とは多少関係がないので、便宜上、省略して説明する。
【００３６】
図３は、図１において、上部ケースを除いた浮遊式加湿器の斜視図であり、図４は、図２において上部ケースを除いた浮遊式加湿器の分解斜視図であり、図５は、図３の浮遊式加湿器の送風ファンを基準として垂直方向に切断した断面図であり、図６は、図５の断面図を基準として垂直方向に切断した断面図であり、図７は、図３において送風ファンを除いた浮遊式加湿器の斜視図である。
【００３７】
図３〜図７を参照すると、本発明の一実施例による加湿量が向上された浮遊式加湿器は、浮遊体１００、超音波発生部１１０、加湿粒子ガイド部１２０及び空気加圧部１２２を含むことを特徴とする。
【００３８】
まず、前記浮遊体１００は、水が収容された水槽内で浮遊し、中心部に中孔１０１が上下に貫通形成されることができる。
【００３９】
ここで、前記浮遊体１００は、水に浮遊できるように内側枠に沿って浮力空間が形成される下部胴体と、前記下部胴体の上部に結合する上部胴体として具備されることができ、これにより内部には浮力を発生させるための浮力空間が形成されることができる。
【００４０】
そして、前記浮遊体１００は、下方が狭く上部に行くほど直径が次第に大きくなる形状を有することができるが、これに制限されず、前記浮遊体１００の形状は多様に適用することができる。
【００４１】
また、前記浮遊体１００の下部には、水３０が流入可能に流入口が形成されることができ、前記流入口は、上部に沿って前記中孔１０１が連通することができる。
【００４２】
前記超音波発生部１１０は、前記浮遊体１００の流入口を通じて入ってくる水３０を微細な水粒子、つまり、加湿粒子状態で霧化させるためのものである。
【００４３】
そのための前記超音波発生部１１０は、前記浮遊体１００の中孔１０１内に設置することができ、下部に流入する水３０を超音波振動によって加湿粒子に霧化することができる。
【００４４】
ここで、前記超音波発生部１１０や後述する送風ファン１３０は、別途の電源ケーブルが連結されることができ、前記電源ケーブルは、ケーブル孔４０を通じて外部に延長することができる。
【００４５】
そして、前記超音波発生部１１０は、加湿粒子を前記中孔１０１中心の垂直線方向に吐き出すことができる。
【００４６】
前記加湿粒子ガイド部１２０は、前記浮遊体１００の上部に設置され、前記加湿粒子が内部のガイド孔１２１に沿って上向移動するように案内することができる。
【００４７】
前記ガイド孔１２１の水平断面は、円形、楕円形または多角形などの様々な形状を有することができる。
【００４８】
前記加湿粒子ガイド部１２０は、前記浮遊体１００の中孔１０１上部に設置されるもので、好ましくは、前記中孔１０１内に設置された超音波発生部１１０の上部に位置することができる。
【００４９】
ここで、前記加湿粒子ガイド部１２０の内部には、ガイド孔１２１が上下に貫通形成され、前記ガイド孔１２１に沿って加湿粒子が上部に移動することができる。
【００５０】
また、前記ガイド孔１２１は、上部に行くほど直径が次第に小さくなる形態を有することができ、前記ガイド孔１２１の上端には、排出口が外部に向かって貫通形成されることができる。
【００５１】
前記空気加圧部１２２は、前記加湿粒子ガイド部１２０の内部に具備され、空気を加圧して、加圧された空気を通じて前記加湿粒子を上向移動させることができる。
【００５２】
そのため、前記加湿粒子ガイド部１２０は、前記ガイド孔１２１に沿って下向延長して形成される内壁１２３と、前記内壁１２３の外側方向に斜めに形成され、前記浮遊体１００と結合するための外壁１２４とを含む二重隔壁構造を有することができる。
【００５３】
つまり、前記空気加圧部１２２は、前記加湿粒子ガイド部１２０の内壁１２３と外壁１２４との間に形成することができる。
【００５４】
前記空気加圧部１２２に空気が持続的に注入されることによって、前記空気加圧部１２２の内部圧力が高くなって空気圧が上昇し、空気圧が上昇することによって送風ファンにより注入された空気がさらに大きい推進力を持ち、前記ガイド孔１２１の内部に空気を強く注入することで加湿量が向上されることができる。
【００５５】
そのため、前記加湿粒子ガイド部１２０は、前記加湿粒子ガイド部１２０の内壁１２３と前記浮遊体１００とが所定間隔で隔離して形成される隙間に該当する空気注入部１２５を含むことができ、前記空気加圧部１２２と前記ガイド孔１２１とは、前記空気注入部１２５によって連通することができる。
【００５６】
従って、従来は、空気注入部１２５が特定方向や特定孔を通じて供給されること、とは異なり、本発明では、前記ガイド孔１２１の周辺全体を通じて流入されることで加湿量が向上されることができ、空気加圧部１２２によって加圧された空気を注入することで加湿量を極大化することができる。
【００５７】
前記加湿粒子ガイド部１２０の外側部にはファン設置孔１２６が貫通形成されることができ、前記ファン設置孔１２６には前記空気加圧部１２２に向かって空気を噴射する送風ファン１３０が設置されることができる。
【００５８】
前記送風ファン１３０によって発生した空気や、空気によって形成された風を前記空気加圧部１２２に向かって噴射すると、前記空気加圧部１２２内で空気圧が形成され、圧力が高くなった空気が前記空気注入部１２５を通過して前記ガイド孔１２１に強く流入されることができる。
【００５９】
前記加湿粒子ガイド部１２０の内壁１２３と前記浮遊体１００との間隔が大きくなると、空気の注入速度は増加し得るが、前記空気加圧部１２２内で形成されることができる空気圧が減少し得て、前記加湿粒子ガイド部１２０の内壁１２３と前記浮遊体１００との間隔が狭くなると、空気の注入速度は減少し得るが、前記空気加圧部１２２内で形成可能な空気圧が増加し得るので、状況に合わせて間隔サイズの調節が必要である。
【００６０】
また、前記加湿粒子ガイド部１２０は、前記加湿粒子ガイド部１２０の内壁１２３末端で所定サイズで凹んで形成される凹み溝部１２７を含むことができ、この時、前記凹み溝部１２７は、前記送風ファン１３０に対向する位置に形成することができる。
【００６１】
前記凹み溝部１２７を通じて前記送風ファン１３０から流入される空気が前記加湿粒子ガイド部１２０の内壁１２３をぶつかることなく直ちに前記ガイド孔に流入されることで、発生した加湿粒子のうちサイズの大きい粒子を他側内壁１２３に押し出すことができる。
【００６２】
一方、前記加湿粒子ガイド部１２０の内壁中心Ｏと前記浮遊体１００の中孔の中心Ｏ’は、互いに異なる垂直線上に配置することができ、さらに好ましくは、前記加湿粒子ガイド部１２０の内壁一側１２３ａは、前記浮遊体１００の中孔１０１外部に向かって延長して形成することができる。
【００６３】
上記のような構造を有することにより、前記加湿粒子ガイド部１２０の内壁１２３は、一側に傾いた形状で構成されることができ、前記超音波発生部１１０から発生した加湿粒子が上昇する場合、非対称的に形成された前記加湿粒子ガイド部１２０の内壁１２３にぶつかるが、固まった加湿粒子が前記中孔１０１に満たされた水３０ではなく前記中孔１０１の外部に落ちることで、水面との衝突により発生する騒音を最小化することができる。
【００６４】
図８は、本発明の一実施例による加湿粒子ガイド部の斜視図であり、図９は、本発明の一実施例による加湿粒子ガイド部の底面斜視図である。
【００６５】
図８及び図９を参照すると、前記加湿粒子ガイド部１２０は、前記加湿粒子ガイド部１２０の内壁１２３と外壁１２４とが接する内周面に具備され、前記外壁１２４の傾斜より緩やかに凹んで形成される洗浄溝部１２８を含むことができる。
【００６６】
前記加湿粒子ガイド部１２０の内壁１２３と外壁１２４とが接する内周面に屈曲した溝状の洗浄溝部１２８が形成されることにより、前記加湿粒子ガイド部１２０の内周面全部を容易に洗浄することができる。
【００６７】
また、前記加湿粒子ガイド部１２０は、前記加湿粒子ガイド部１２０の内壁１２３と外壁１２４とが接する外周面に具備され、前記洗浄溝部１２８の反対側で凹んで形成される把持溝部１２９を含むことができる。
【００６８】
前記加湿粒子ガイド部１２０の内壁１２３と外壁１２４とが接する外周面に内側に凹んだ溝状の把持溝部１２９が形成されることにより、洗浄時や把持が必要な場合、取手として使用することができる。
【００６９】
これまで本発明による具体的な実施例について説明したが、本発明の範囲から逸脱しない範囲内では様々な変形が可能なことは言うまでもない。従って、本発明の範囲は、説明された実施例に限られてはならず、後述する特許請求の範囲だけでなく、この特許請求の範囲と均等なものによって定められるべきである。
【００７０】
以上のように、本発明は限定された実施例と図面によって説明されたが、本発明は上記実施例に限定されるものではなく、これは本発明が属する分野で通常の知識を持った者であれば、このような記載から様々な修正及び変形が可能である。従って、本発明は、下記に記載された特許請求の範囲によって把握されるべきであり、これと均等または等価的変形は、いずれも本発明思想の範疇に属するといえる。
【符号の説明】
【００７１】
１０：浮遊式加湿器
２０：上部ケース
２１：空気流入孔
３０：水
４０：ケーブル孔
１００：浮遊体
１０１：中孔
１１０：超音波発生部
１２０：加湿粒子ガイド部
１２１：ガイド孔
１２２：空気加圧部
１２３：内壁
１２３ａ：内壁一側
１２４：外壁
１２５：空気注入部
１２６：ファン設置孔
１２７：凹み溝部
１２８：洗浄溝部
１２９：把持溝部
１３０：送風ファン
【図１】
2019526023.tif 000003
【図２】
2019526023.tif 000004
【図３】
2019526023.tif 000005
【図４】
2019526023.tif 000006
【図５】
2019526023.tif 000007
【図６】
2019526023.tif 000008
【図７】
2019526023.tif 000009
【図８】
2019526023.tif 000010
【図９】
2019526023.tif 000011
【国際調査報告】
2019526023.tif 000012
2019526023.tif 000013
2019526023.tif 000014
2019526023.tif 000015